(57)【要約】【課題】片手で髪を束ねるための自助具を提供する。【解決手段】本発明に係わる自助具は、留めたり外したりが容易な着脱手段と、前記着脱手段を備えて指に装着できるようにする指先装着手段と、前記指先装着手段を連結する連結手段と、を備えている。この自助具を用いることで、片手の指で髪を束ねた状態で固定できるようにする。【選択図】図１
2016043221.tif 000002
【特許請求の範囲】
【請求項１】
本発明に係わる自助具は、留めたり外したりが容易な着脱手段と、
前記着脱手段を備えて指に装着できるようにする指先装着手段と、
前記指先装着手段を連結する連結手段と、を備えている自助具。
【請求項２】
前記着脱手段は、
前記指先装着手段に取り付けられ、着脱手段同士を簡単に着脱することが可能な請求項１に記載の自助具。
【請求項３】
前記指先装着手段は、
複数の指に装着した状態で髪を束ねることができる、請求項１に記載の自助具。
【請求項４】
前記連結手段は、
前記指先装着手段を連結するためのもので、請求項１に記載の自助具。
【請求項５】
前記指先装着手段を複数の指に装着した状態で髪を束ね、前記連結手段の柔軟性を利用して、前記着脱手段を用いて留めることで、指で髪を束ねた状態で固定できる請求項１に記載の自助具。
【発明の詳細な説明】
【技術分野】
【０００１】本発明は、片手で簡単に髪を束ねられるための自助具に関する。
【背景技術】
【０００２】  福祉用具には多種多様な製品が出回っているが、何らかの事情で片手しか使えない人が、髪の毛を束ねたいときの自助具はほとんど見当たらないし、あっても使い勝手が悪いものが多い。また、使い方に熟練が必要であったり、うまく束ねられなかったりして、適当なものは中々見つからない。一方で、簡単にしかも手軽におしゃれを楽しみながら束ねられる自助具への強い要望がある。【０００３】  特許文献１の髪止め具は、つまみ部を操作することにより櫛様部材を開閉することが可能で、装着時に開放端側から髪がはみ出さない髪止め具を提供しているが、片手で行うと髪がはみ出してしまい、自分の思い通りに髪を束ねることは難しい。また、特許文献２のワンタッチ結束具は、片手で簡便に髪や電気コードなどを束ねることができる結束具を提供することを目的としているために、機能的であってもおしゃれに束ねることが難しい。【０００４】  非特許文献１の結び姫は、机と道具が必要であり、手軽さがない。また、非特許文献２、３では、片手で髪を結ぶ方法がＹｏｕＴｕｂｅ等で紹介されているが、ある程度の髪の長さが必要で、髪が短いとできない。非特許文献２はドアノブのレバーハンドルがある場所でしかできないので、期待するほど手軽ではなく、慣れないと思うように束ねられない欠点がある。このようにいくつかの試みはあるが、まだ不十分で、簡便におしゃれを楽しめて、片手で髪を束ねられるものはまだ見当たらない。このような背景の下に、本自助具は簡便安価な手段を提供し、おしゃれを楽しみたいという女性の要求に応えようとするものである。
【先行技術文献】
【特許文献】
【０００５】
【特許文献１】登録実用新案第３０４６９１２号公報
【特許文献２】特開平９−３２８１２号公報
【非特許文献】
【０００６】
【非特許文献１】鳥谷未沙希、他２名、″結び姫″、［ｏｎｌｉｎｅ］、２００８年１月２９日、一般社団法人神奈川県作業療法士会、［平成２４年６月９日検索］、インターネット〈ＵＲＬ：ｈｔｔｐ：／／ｋａｎａ−ｏｔ．ｊｐ／ｗｐｍ／ｂｌｏｇ／ｐｏｓｔ／１５８〉
【非特許文献２】ｍａｍｉｌｌ０００１、″片手で髪を結ぶ方法″、［ｏｎｌｉｎｅ］、２０１３年６月８日、ＹｏｕＴｕｂｅ、［平成２６年５月２８日検索］、インターネット〈ＵＲＬ：ｈｔｔｐｓ：／／ｗｗｗ．ｙｏｕｔｕｂｅ．ｃｏｍ／ｗａｔｃｈ？ｖ＝ｈｒＧＥｖｙｑＣＳｋＹ〉
【非特許文献３】Ｃｏｍｐａｒｔｍｅｎｔ７６、″１−ＵＰ，Ｔｈｅ  ｏｎｅ  ｈａｎｄ  ｈａｉｒ  ｔｉｅ″、［ｏｎｌｉｎｅ］、２００９年８月４日、ＹｏｕＴｕｂｅ、［平成２４年６月９日検索］、インターネット〈ＵＲＬ：ｈｔｔｐｓ：／／ｗｗｗ．ｙｏｕｔｕｂｅ．ｃｏｍ／ｗａｔｃｈ？ｖ＝ＢＭＭｏｅｐｍ８４ＲＵ〉
【発明の概要】
【発明が解決しようとする課題】
【０００７】  何らかの事情で片手しか使えない人が髪の毛を束ねるときの自助具はほとんど見当たらないし、あっても使い勝手が悪いものが多い。簡単に手軽に一人で髪の毛を束ねたい要求に応えられる自助具は探しても中々見つからない。片手で簡単に髪を自然な感じで束ねることができる髪留め具を提供することを目的とする。【０００８】  片麻痺や切断など、片手が使用できない女性はショートカットの傾向にある。ロングヘアだったが、自ら髪を束ねることができないために髪を切ってしまったと、悲しそうに話す人に出会うことが多々ある。ここでは、両手の同時使用が困難で、片手使用しかできない、セミロング以上の髪の長さの人を想定している。
【課題を解決するための手段】
【０００９】  片手の指で髪を束ねた状態で固定できるようにするために、留めたり外したりが容易な着脱手段と、前記着脱手段を指に装着できるようにする指先装着手段と、前記指先装着手段を連結する連結手段と、を備える。【００１０】  前記着脱手段は、前記指先装着手段に取り付けられ、着脱手段同士を簡単に着脱することを可能にする。【００１１】  前記指先装着手段を複数の指に装着した状態で髪を束ねる。【００１２】  前記連結手段は、前記指先装着手段を連結するためのものである。【００１３】  前記指先装着手段を複数の指に装着した状態で髪を束ね、前記連結手段の柔軟性を利用して、前記着脱手段を簡単に着脱することで、指で髪を束ねた状態で固定する。
【発明の効果】
【００１４】  本発明によれば、片手で簡単に髪の毛を束ねることができる。また、色々と髪の形を変えて楽しみながら束ねることも可能となる。【００１５】  片手で簡単に髪を自然な感じで束ねることができる髪留め具を提供する。材質が布とゴムなど、継ぎ目にスナップボタン（ホック、磁石、面ファスナー）などを使用するので髪に優しく、外すときに髪の毛にからまない。また、母指と中指に髪留め具を装着し、片手で髪を束にまとめたら、母指と中指を合わせるだけで髪を留めることができるので、時間をかけずに簡単に使用することが可能である。
【図面の簡単な説明】
【００１６】
【図１】  本発明の一実施形態の基本構成とその着脱の様子を示した説明図である。
【図２】  髪の毛を束ねるための使い方の手順の説明図である。
【図３】  指先装着部の実施例を示した図である。
【図４】  着脱部の実施例を示した図である。
【図５】  連結部の実施例を示した図である。
【図６】  素材によりファッション性を高めるための工夫の例を示した図である。
【発明を実施するための形態】
【００１７】  以下、本発明に係わる自助具の実施形態について図面を参照しつつ説明する。
【実施例】
【００１８】  ここでは、指先装着部として太さの調整が可能なものを試作し、指の腹に当たる部にスナップボタンを縫い付けたものを２つ作り、それらを２本のゴムで連結する。図１は本発明の一実施形態の基本構成とその説明図（例示）である。図１に示すように、この自助具は、先端に着脱可能な部分１１を備える指先装着部１０が連結部２０で連結されている。【００１９】  図１に「各部の名称、試作品、着脱部を開いた状態／閉じた状態／着用前後」の様子を示す。試作品の片手用髪留め具は、ヘアゴムでもよく使用されている金属の芯を布で包んで作ったくるみボタンを基礎とし、指先装着部にカラーテープとソフトマジックテープ、継ぎ目にスナップボタンとゴムを使用している。スナップボタンの代わりにマジックテープやマグネットを用いてもよい。【００２０】  使用方法として、２本あるいは複数本の指に髪留め具の指先装着部を装着し、最初は指を広げた状態で髪の毛を束ねていき、片手で髪を束にまとめたら、指を閉じて着脱部のスナップボタンなどで留める。指の太さに合わせ、指先装着部の長さ調節が可能であり、ゴムの長さも調節することが可能。このようにして一旦髪が束ねられれば、その上から飾り用のリボンを結ぶこともできるので、おしゃれを楽しむことができる。髪を束ねる過程［手順１〜３］を、図２に示す。【００２１】  図２最上段［手順１］に示すように、「示指と母指にはめる」、「中指と母指にはめる」などが考えられるが、「中指と母指にはめる」と、示指がフリーになり、髪を束ねやすくなる。【００２２】  図３は指先装着部の実施例である。この実施例では、指先装着部は２つであるが、２つ以上あってもよい。さらに、連結部は複数個の指先装着具を繋ぐためのもので、柔軟で伸縮性があった方がよい。例えば、ゴムや布がよい。中指と母指の指の大きさが違うので、色を変えて、どちらにはめたらいいか分かりやすいようにしてもよい。【００２３】  図３上段に示すように、指先装着部は単なる指サック状ではなく、マジックテープやクリップなどを用いることで、指にしっかりと固定され、髪を束ねる際に位置ずれがなくなる。同時に、使用者の指の太さにぴったり合わせることができるように工夫することができる。こうすることで指の太さの調整は片手で可能となる。【００２４】  図３下段では、ファッション性を高めるために、外側を伸縮可能なレースにしている。上にレースの花を縫い、縫い後を隠すとともに、かわいくしてみることもできる。【００２５】  図４は着脱部の実施例である。着脱部には留めたり外したりが容易なものであれば、スナップボタンの他にマジックテープや磁石などを用いることもできる。【００２６】  図４上段では、金具を取り外し、ゴムを通してからスナップボタンをワイヤーで取り付け、布とレースをはめる。また、図４下段では、着脱部の開閉の様子を示す。【００２７】  図５は連結部の実施例である。ゴムは２本以上でも可能であるが、多くなると連結するスナップボタンの部分にゴムがはさまり、連結しにくくなることがある。また、ゴムの結び方を変え、長さを調節できるようにしてもよい。その際に、二重テグス結びと８の字結びで、玉の部分を移動させ、ゴムの長さ調節ができるようにしてもよい���ゴムの調整は片手で行うか、介助してもらってもよい。【００２８】  図６の実施例では、素材の工夫によりファッション性を高めている。図６最上段では、ゴムをむき出しにせずに布で包むことで、円になった際に、普通の髪ゴムに近くなり、ファッション性が改善される。図６中段のように髪ゴムに近くなるように、工夫すれば、おしゃれ感が増す。図６最下段は、見た目は普通の髪ゴムと変わりない。【００２９】  製作にかかる材料費は、安価低廉である。多少の手間はかかるが、部品のほとんどは百円均一ショップでも入手可能で、コストパーフォーマンスは大変高い。また、部品選択の余地が多いので、福祉用自助具にありがちな地味なものでなく、個人の趣味で色や形を選ぶことができ、おしゃれ感覚を楽しむことができる。【００３０】  報告されている片手用髪止めの方法と比較し、時間がかからず、小さいので、持ち運びが簡単で、どこでも使用できる。また、硬くないので、着けたまま横になっても痛くない。コストが安く、布やゴムなどを変化させ、様々なデザインを楽しむことができる。【００３１】  開発した試作品を数人の女子学生に試用してもらい、その効果・有効性は確認済みである。最初のアイデアの段階から、数年をかけて改良を重ねて、完成度を上げてきている。
【産業上の利用可能性】
【００３２】  従来地味であった福祉の分野にファッションセンスを取り入れることで、新しい市場の創出が期待できる。同時に女性のおしゃれ志向の一助となる。
【符号の説明】
【００３３】１０  指先装着部
１１  着脱部
２０  連結部
【図１】
2016043221.tif 000003
【図２】
2016043221.tif 000004
【図３】
2016043221.tif 000005
【図４】
2016043221.tif 000006
【図５】
2016043221.tif 000007
【図６】
2016043221.tif 000008